(57)【要約】【課題】骨盤を押圧する４本のそれぞれの力学量を変えることにより、骨盤の不正な角度や歪みを修正することで、腰痛等の症状の改善を目的とした骨盤ベルトを提供することである。【解決手段】骨盤ベルトは左右４本のベルトで構成されており、それぞれが中央部で固定される。右上部、左上部のベルトは腸骨上部を押圧し、右下部、左下部のベルトは臀部中央より下際の坐骨部を押圧する。押圧する４本のベルトのそれぞれの力学量をベルトの幅と厚さ、そしてベルト自体の繊維構造等により適宜変えることが出来るものを提供することで骨盤の不正な角度やその歪みが修正され、本来の骨盤の状態に戻すことで腰痛等の症状の改善を目的とする骨盤ベルトである。【選択図】図１
2017158993.tif 000002
【特許請求の範囲】
【請求項１】
骨盤押圧部は４本の伸縮性を有する素材からなるベルトで形成されており、その４本のベルトのうち、左上部ベルトは右上部、左下部ベルトより押圧力が強く、右下部ベルトは左上部ベルトよりも押圧力が強いベルトを具備したことを特徴とする図１の骨盤矯正ベルト。
【請求項２】
骨盤押圧部の４本の伸縮性を有するベルトは、中央部の縦長の中央支帯に付着し、腹部取付け部の左右２本のベルトはマジックテープを有し、それぞれのベルトは骨盤押圧部の４本のベルトの外側部に連結されており、骨盤の周囲に巻きつけた時に４本の伸縮性を有するベルトの上２本は、腸骨陵の位置に、上方に湾曲した形状で配置され、下２本は坐骨上部に下に湾曲した形状で配置されている請求項１記載の骨盤矯正ベルト。
【請求項３】
骨盤押圧部は４本の伸縮性を有する素材からなるベルトで形成されており、その４本のベルトのうち、左右下部ベルトは、左右上部ベルトよりも押圧力が強いベルトを具備したことを特徴とする図２の骨盤矯正ベルト。
【請求項４】
骨盤押圧部の４本の伸縮性を有するベルトは中央部の凸形状の中央支帯に付着し、腹部取付け部の左右２本のベルトはマジックテープを有し、それぞれ骨盤押圧部の４本のベルトの外側部に連結されており、骨盤の周囲に巻きつけた時に４本の伸縮性を有するベルトの上２本は、  直線状の形状で腸骨上部の位置に、下２本は下方に湾曲した形状で上２本よりも太い物で坐骨上部に配置した請求項３の骨盤矯正ベルト。
【請求項５】
骨盤押圧部は４本の伸縮性を有する素材からなるベルトで形成されており、その４本のベルトのうち、  左右上部ベルトは、左右下部ベルトよりも押圧力が強いベルトを具備したことを特徴とする図３の骨盤矯正ベルト。
【請求項６】
骨盤押圧部の４本の伸縮性を有するベルトは中央部の逆凸形状の中央支帯に付着し、腹部取付け部の左右２本のベルトはマジックテープを有し、それぞれの骨盤押圧部の４本のベルトの外側部に連結されており、骨盤の周囲に巻きつけた時に４本の伸縮性を有するベルトの下２本は下方に湾曲した形状で坐骨上部の位置に、上２本は直線状の形状で、下２本よりも太い物で腸骨上部に配置した請求項５の骨盤矯正ベルト。
【発明の詳細な説明】
【技術分野】
【０００１】本発明は、腰痛等主に運動器疾患を改善するために腰臀部に装着する骨盤ベルトに関するものである。
【背景技術】
【０００２】これまでの腰痛に対応したベルト、コルセット類は、患者（使用者）の姿勢に対して補佐的に支持を助けるものであったり、損傷部または脆弱な部分に対して圧迫や固定、または補助を促すものであったと考えるが、それらは腰痛症状を引き起こす身体の庇護的効果を果たしているものの、その効果に限度があるものと考える。
【発明の概要】
【発明が解決しようとする課題】
【０００３】長年の腰痛に対する臨床経験とその臨床効果、実績において、腰痛の主な根本原因は左右の仙腸関節の形態学的問題と腰仙関節の角度の不正が起因して生じるものと考え、本発明はそれら関節の形態異常及び不正角度を是正することにより、腰痛並びその他の運動器疾患に対して改善の効果が得られるものである。
【課題を解決するための手段】
【０００４】前記載の以上の知見に基づいて仙腸関節の形態異常において、本発明にかかる骨盤ベルトは、骨盤に装着する四本の伸縮性を有する素材からなるベルトのうち、右上部と左下部は同一で弱めの力で押圧できるもの、左上部は強め、右下部は更に強い力で押圧できるベルトを具備したことを特徴とする図１の骨盤ベルト。
腰仙関節の角度が正常値より大きい、いわゆるそり腰型においての骨盤ベルトは、骨盤に装着する４本の伸縮性を有する素材からなるベルトのうち、左右上部は弱めの力で押圧し、左右下部は強い力で押圧できるベルトを具備したことを特徴とする図２の骨盤ベルト。
腰仙関節の角度が正常値より小さい、一般的には加齢に伴った腰猫背型においての骨盤ベルトは、骨盤に装着する４本の伸縮性を有する素材からなるベルトのうち、左右下部は弱めの力で押圧し、左右上部は強い力で押圧できるベルトを具備したことを特徴とする図３の骨盤ベルト。
【発明の効果】
【０００５】本発明の骨盤矯正ベルトによれば、腰痛の主な根本原因と考えられる左右の仙腸関節の形態学的問題並び、腰仙関節の角度の不正を正常化することにより腰痛等主に運動器疾患を改善することができる。
【図面の簡単な説明】
【０００６】
【図１】  骨盤矯正ベルトの全体平面図である
【図２】  図１のベルトを取り付けた状態の図である。
【図３】  骨盤矯正ベルトの全体平面図である
【図４】  図３のベルトを取り付けた状態の図である。
【図５】  骨盤矯正ベルトの全体平面図である
【図６】  図５のベルトを取り付けた状態の図である。
【本発明を実施するための形態】
【０００７】従来の腰痛ベルトは痛みの原因が腰椎とその周辺組織に起因すると考えられ、そこを保護する目的で装着されるが、本発明した骨盤矯正ベルトは腰痛等の原因を骨盤の形状不正を起こす仙腸関節の問題と捉え、骨盤に巻くものである。図１は３種類のパーツ、腹部取付け部のＡ１，Ａ２と骨盤押圧部Ｙ１，Ｙ２、Ｙ３，中央支帯Ｍで構成されている。Ａ１，Ａ２は非伸縮性のベルトでマジックテープを含み、腹部にて固定する。４本の伸縮性を有するＹのベルトは、ベルトの幅と厚み、素材の種類及び繊維構造を変えることができる。そして、力学的押圧力をＹ３＜Ｙ２＜Ｙ１とすることで仙腸関節の形態学的問題を改善する。また、Ｙ３のベルトは細めの伸縮性を持つベルトである。
Ｙ２のベルトはＹ３のベルトよりも太い物で、伸縮性をもち、Ｙ１のベルトは、Ｙ２のベルトよりもさらに太い物で伸縮性を持つ。そして、４本のベルトに各々適度な湾曲を持たせ、Ａのベルトに付着させることで、１本のベルトＡにより腹部で固定できる。（図２）
更に、ベルトＹ１，Ｙ２，Ｙ３が湾曲性を有しているので臀部凸面に対して十分にフィットすることとなり、骨盤に対する固定力と、押圧力が十分に生じる。更に、Ｙ１，Ｙ２ベルトの押圧力を強める為に、中央支帯ＭとベルトＡ１、Ａ２の内側（裏面）にＹ１とＹ２のベルトの端を付着させる。
さらに、中央支帯Ｍと、Ａ１、Ａ２のベルトの表側にＹ３のベルトの端を付着させる。中央支帯Ｍは、仙骨部に当たる場所にあり、非伸縮性で仙骨部を充分に支持し、４本の伸縮性のベルトを付着させるのに必要な強度と耐久性に優れた素材を使用することが好ましい。
【０００８】腰痛の原因の１つと考えられている、腰仙関節の不正（そり越し）を正すために本発明した、骨盤矯正ベルトは、骨盤に巻くものである。
図３は、３種類のパーツ、腹部取付け部Ａ１，Ａ２と骨盤押圧部Ｙ１，Ｙ２と中央支帯Ｍで構成されている。Ａ１とＡ２は非伸縮性のベルトでマジックテープを含み、腹部で固定する。４本の伸縮性を有するＹのベルトは、ベルトの幅、厚み、素材の種類及び、繊維構造を変えることができる。そして、力学的押圧力をＹ２＜Ｙ１とすることで、腰仙関節の過度な前傾を改善する。
また、Ｙ１のベルトはＹ２のベルトより太いもので伸縮性を持つ。Ｙ２のベルトは、細めの伸縮性を持つベルトである。Ｙ１は太めで、かつ下方に適度な湾曲を有しているので、その湾曲性が臀部の凸面に対して十分にフィットすることとなり、坐骨上部に対して十分な押圧力が生じる。（図４）
さらに、左右Ｙ１のベルトの押圧力を強める為に、中央支帯Ｍと、ベルトＡ１，Ａ２の内側（裏面）にＹ１のベルトの端を付着させる。Ｙ２のベルトは直線状の形状で伸縮性を持ち、腸骨上部において骨盤ベルト全体の固定力が得られる。また、中央支帯ＭとＡ１，Ａ２のベルトの表側にＹ２のベルトの端を付着させる。中央支帯Ｍは非伸縮性で、４本の伸縮性のベルトを付着させるのに必要な強度と耐久性の優れた素材を使用することが好ましい。
【０００９】腰痛の原因の一つと考えられている腰仙関節の不正（腰猫背）を正すために、本発明した骨盤矯正ベルトは、骨盤に巻くものである。図５は３種類のパーツ、腹部取付け部Ａ１，Ａ２と骨盤押圧部Ｙ１，Ｙ２と中央支帯Ｍで構成されている。Ａ１とＡ２は非伸縮性のベルトでマジックテープを含み腹部で固定する。４本の伸縮性を有するＹのベルトは、ベルトの幅、厚み、素材の種類及び繊維構造を変えることができる。そして、力学的押圧力をＹ２＜Ｙ１とすることで腰仙関節の、主に加齢に伴う過度の後傾を改善する。
また、Ｙ１のベルトは、Ｙ２のベルトより太い直線状の形状で、伸縮性を持ち、腸骨上部に対して十分な押圧力が生じる。Ｙ２のベルトは、細めでかつ適度に下方に湾曲を持たせることにより、坐骨上部の位置において十分なフィット力と骨盤ベルト全体の固定力が得られる。（図６）
さらに、左右Ｙ１のベルトの押圧力を強める為に、中央支帯ＭとベルトＡ１，Ａ２の内側（裏側）にＹ１のベルトの端を付着させる。また、中央支帯ＭとＡ１，Ａ２のベルトの表側にＹ２のベルトの端を付着させる。
中央支帯Ｍは非伸縮性で，４本の伸縮性のベルトを付着させるのに必要な強度と耐久性の優れた素材を使用することが好ましい。
【図１】
2017158993.tif 000003
【図２】
2017158993.tif 000004
【図３】
2017158993.tif 000005
【図４】
2017158993.tif 000006
【図５】
2017158993.tif 000007
【図６】
2017158993.tif 000008